(57)【特許請求の範囲】
【請求項１】
上下方向に設けられ、鼻咽喉用内視鏡の挿入部を収納可能なパイプ槽と、このパイプ槽に洗浄水を供給するための給水管と、前記パイプ槽に洗剤を供給するための洗剤供給管と、前記パイプ槽に殺菌剤を供給するための殺菌剤供給管と、前記鼻咽喉用内視鏡の把持部を掛止して、前記パイプ槽内にこの鼻咽喉用内視鏡を垂下状態で保持するための掛止部と、前記パイプ槽の下部に、前記パイプ槽内に収納された鼻咽喉用内視鏡の下端よりも下方側からバブルが発生するよう設けられたバブル発生手段とを備えており、このバブル発生手段は、前記パイプ槽内に大きなバブルを発生させる手段と、この大きなバブルよりも小さなバブルを発生させる手段とを有し、
鼻咽喉用内視鏡を前記パイプ槽内に垂下状態で収納し、この状態で、前記給水管を通じて洗浄水を供給して濯ぎ洗浄する濯ぎ洗浄行程と、前記洗剤供給管を通じて洗剤を供給して洗剤洗浄する洗剤洗浄行程と、前記殺菌剤供給管を通じて殺菌剤を供給して殺菌消毒する殺菌剤浸漬行程とを連続的又は断続的に可能にせしめ、更に、前記バブル発生手段が、前記濯ぎ洗浄工程で大きなバブルを発生し、前記洗剤洗浄工程で小さなバブルを発生することを特徴とする鼻咽喉用内視鏡洗浄消毒装置。
【請求項２】
殺菌剤を収納する殺菌剤タンクと、前記パイプ槽内の殺菌剤を前記殺菌剤タンクに回収する殺菌剤回収手段とを備え、前記殺菌剤浸漬行程後に、前記パイプ槽内の殺菌剤を回収することを特徴とする請求項１に記載の鼻咽喉用内視鏡洗浄消毒装置。
【請求項３】
前記パイプ槽に溶液を排水するための排水管を接続し、前記排水管に前記パイプ槽内の溶液が完全に排水したことを認識する排水センサーを備えたことを特徴とする請求項１又は２に記載の鼻咽喉用内視鏡洗浄消毒装置。
【発明の詳細な説明】
【０００１】
【産業上の利用分野】
本発明は、鼻咽喉用内視鏡を洗浄及び消毒する装置に関する。
【０００２】
【従来の技術】
鼻咽喉用内視鏡は、医療現場において、鼻咽喉の検査や治療等に用いるものであり、先端にレンズを具備した細長い棒状の挿入部と、医師等が把持して操作する把持部とを有する。この挿入部は、鼻咽喉に挿入する部分であって、先端レンズで患部を観察し、把持部で操作して検査及び診断する。そのため、検査及び診断をする度に、体内の粘膜や血液、或いはウイルス等が挿入部に付着し、使用する毎に十分な洗浄及び消毒をする必要がある。又、近年高齢化が進む中、鼻咽喉用内視鏡を用いた検査や治療が増加し、それに伴い、迅速且つ安全な内視鏡の洗浄及び消毒をする必要がある。しかし、従来例の内視鏡の洗浄及び消毒方式は、以下のように構成されている。先ず、蛇口から水道水を放出し、その水道水で使用した内視鏡を濯ぐ。その後、消毒器で内視鏡を数回消毒して、再度内視鏡を使用している。しかし、この方式によれば、水道水で濯ぐアクションと、消毒器で消毒するアクションとの２つのアクションを要するため、迅速に洗浄及び消毒することができないという問題があった。又、この種の内視鏡洗浄消毒装置の発明として、例えば、特開平７−１１６１１６号公報に示されているが、この発明によれば、消毒薬浸漬用パイプと洗浄用パイプの２つのパイプを具備するものであり、夫々のパイプに内視鏡を逐次セットする必要があるため、手間がかかり、迅速性に問題がある。
【０００３】
【発明が解決しようとする課題】
前記の通り、従来の方式では、手間や迅速性について問題を有する。即ち、水道水での濯ぎ洗いを要する点や、２つのパイプに内視鏡を移し替える点等にその問題を含むものであり、患者数の多い際や緊急時において、内視鏡の洗浄及び消毒に手間や時間を有する。そこで、本発明は、これらの問題を解決するもので、１つのアクションで内視鏡を迅速且つ簡単に洗浄及び消毒できる装置を提供する。
【０００４】
【課題を解決するための手段】
本発明に係る鼻咽喉用内視鏡洗浄消毒装置は、上下方向に設けられ、鼻咽喉用内視鏡の挿入部を収納可能なパイプ槽と、このパイプ槽に洗浄水を供給するための給水管と、パイプ槽に洗剤を供給するための洗剤供給管と、パイプ槽に殺菌剤を供給するための殺菌剤供給管と、鼻咽喉用内視鏡の把持部を掛止して、パイプ槽内にこの鼻咽喉用内視鏡を垂下状態で保持するための掛止部と、パイプ槽の下部に、パイプ槽内に収納された鼻咽喉用内視鏡の下端よりも下方側からバブルが発生するよう設けられたバブル発生手段とを備えており、このバブル発生手段は、パイプ槽内に大きなバブルを発生させる手段と、この大きなバブルよりも小さなバブルを発生させる手段とを有し、鼻咽喉用内視鏡をパイプ槽内に垂下状態で収納し、この状態で、給水管を通じて洗浄水を供給して濯ぎ洗浄する濯ぎ洗浄行程と、洗剤供給管を通じて洗剤を供給して洗剤洗浄する洗剤洗浄行程と、殺菌剤供給管を通じて殺菌剤を供給して殺菌消毒する殺菌剤浸漬行程とを連続的又は断続的に可能にせしめ、更に、バブル発生手段が、濯ぎ洗浄工程で大きなバブルを発生し、洗剤洗浄工程で小さなバブルを発生する。
【０００５】
又、殺菌剤を収納する殺菌剤タンクと、パイプ槽内の殺菌剤を殺菌剤タンクに回収する殺菌剤回収手段とを備え、殺菌剤浸漬行程後に、パイプ槽内の殺菌剤を回収することが好ましい。
【０００６】
更に、パイプ槽に溶液を排水するための排水管を接続し、排水管にパイプ槽内の溶液が完全に排水したことを認識する排水センサーを備えているのが好ましい。
【０００８】
【発明の実施の形態】
以下、添付図面に基づいて、この発明の実施例を説明する。
【０００９】
図１は、本発明に係る鼻咽喉用内視鏡洗浄消毒装置（以下、装置という）の一実施例であって、そのモデル図を示す。この装置は、パイプ槽１を具備し、そのパイプ槽１上部には、鼻咽喉用内視鏡（以下、内視鏡という）１００を保持して位置固定する掛止部ＭＰを設けている。内視鏡１００は、患者等の鼻咽喉に挿入する棒状の挿入部１０１と、医師等が把持して操作する把持部１０２を有しており、パイプ槽１内に挿入部１０１を収納し、掛止部ＭＰで把持部１０２を掛止する。そして、パイプ槽１上部には上方タンク３が、下部には下方タンク５が設けられており、上方タンク３の下面にパイプ槽１の上部が、下方タンク４の上面にパイプ槽１の下部が挿設している。
【００１０】
内視鏡１００の使用後、挿入部１０１をパイプ槽１内に挿入し、把持部１０２を掛止部ＭＰに掛止し、挿入部１０１の濯ぎ洗浄行程を行う。給水管Ｌ１の一端が給水源７（例えば、水道水蛇口）に、他端が上方タンク３に接続している。そして、給水管Ｌ１には給水電磁弁Ｖ１が設けられており、この給水電磁弁Ｖ１が給水源７からの洗浄水を制御する。
【００１１】
給水電磁弁Ｖ１を開くことにより、洗浄水が、給水管Ｌ１を通じて、給水源７から上方タンク３内に流れ、そして、上方タンク３の下面に挿設したパイプ槽１内に流れ込む。パイプ槽１内が洗浄水で満水になると、上方タンク３に設けたフロートセンサー１７が感知して給水電磁弁Ｖ１を閉じる。更に、上方タンク３にはオバーフロー管Ｌ１３が設けられており、フロートセンサー１７が作動しないとき、このオーバーフロー管Ｌ１３から洗浄水が排水する。即ち、オバーフロー管Ｌ１３の一端が上方タンク３に設けた溢水口に、他端が排水管Ｌ７に接続しており、上部タンク３の洗浄水が、オバーフロー管Ｌ１３を通じて排水管Ｌ７に導く。
【００１２】
更に、この装置は、パイプ槽１内にバブルを発生するためのバブル発生手段が設けられている。このバブル発生手段の第１実施例を説明する。下方タンク５にはバブル発生部１３が設けられており、エアー供給管Ｌ１１の一端がこのバブル発生部１３に、他端がエアー送出部Ａ１，Ａ２に接続している。このエアー送出部Ａ１，Ａ２はエアーポンプであって、モータでポンプを駆動し、エアー供給管Ｌ１１を通じてバブル発生部１３に空気を送る。この送られた空気は、バブル発生部１３に設けた多数の通気孔を通じて排出し、パイプ槽１内にバブルを多数発生する。このバブルが、挿入部１０１の濯ぎ洗いを効果的に行う。
【００１３】
エアー送出部Ａ１，Ａ２は、パイプ槽１内に小さなバブルを発生するための第１エアー送出部Ａ１と、大きなバブルを発生するための第２エアー送出部Ａ２とからなっている。そして、エアー供給管Ｌ１１には逆止弁Ｖ９が設けられており、エアー送出部Ａ１，Ａ２からバブル発生部１３に送る空気の逆流を防止する。更に、第２エアー送出部Ａ３とエアー供給管Ｌ１１とを接続する管に、エアー調整弁Ｖ１１が設けられ、このエアー調整弁Ｖ１１が第２エアー送出部Ａ３から送る空気を調整可能にする。
【００１４】
排水管Ｌ７の一端が下方タンク５に、他端が排水部（図示略）に接続しており、排水管Ｌ７には排水回収ポンプＰ３が設けられている。そして、排水回収ポンプＰ３を作動することにより、パイプ槽１内の洗浄水が排水管Ｌ７を通じて下方タンク５から排水部に導かれ排水される。更に、排水センサー１５を介して下方タンク５と排水管Ｌ７とが連結しており、パイプ槽１内の洗浄水が完全に排水されたことを排水センサー１５が感知し、下方タンク５と排水管Ｌ７との接続部分を閉じる。
【００１５】
次に、挿入部１０１の洗剤洗浄行程を行う。洗剤供給管Ｌ５の一端が洗剤タンク１１に、他端が給水管Ｌ１に接続している。そして、洗剤供給管Ｌ５には洗剤ポンプＰ１が設けられており、この洗剤ポンプＰ１の作動により、洗剤タンク１１内の洗剤が、洗剤供給管Ｌ５を通じて給水管Ｌ１に導入される。
【００１６】
給水電磁弁Ｖ１を開き、洗浄水が給水源７から給水管Ｌ１に導入され、それと同時に、洗剤ポンプＰ１を作動して洗剤が洗剤タンク１１から給水管Ｌ１に導入される。約３００ｃｃの洗浄水に対して、約５〜８ｃｃの洗剤が混合され、この洗浄水と洗剤とを混合した洗剤洗浄水が、給水管Ｌ１を通じてパイプ槽１内に供給される。そして、前記と同様に、フロートセンサー１７が感知することによって、パイプ槽１内が洗剤洗浄水で満水になった状態で、給水電磁弁Ｖ１が閉じ、ポンプＰ１が停止する。その後、第１エアー送出部Ａ１がバブル発生部１３に空気を送り、パイプ槽１内にバブルを多数発生させ、挿入部１０１の洗剤洗浄を効果的に行う。洗剤洗浄を一定時間行った後、排水回収ポンプＰ３が作動し、洗剤洗浄水を排水する。
【００１７】
その後、前記した濯ぎ洗浄行程を数回行った後、挿入部１０１の殺菌剤浸漬行程を行う。殺菌剤供給管Ｌ３の一端が殺菌剤タンク９に、他端が上方タンク３に接続している。そして、殺菌剤供給管Ｌ３には薬液供給電磁弁Ｖ３が設けられており、この薬液供給電磁弁Ｖ３が開くことにより、殺菌剤タンク９内の殺菌剤が、殺菌剤供給管Ｌ３を通じて上方タンク３に流れ、パイプ槽１内に流れ込む。そして、フロートセンサー１７が感知することによって、パイプ槽１内が殺菌剤で満水になった状態で、薬液供給電磁弁Ｖ３が閉じ、殺菌剤がパイプ槽１内を満水にする。
【００１８】
一定時間、挿入部１０１を殺菌剤で浸漬した後、殺菌剤を殺菌剤タンク９内に回収して数回使用する。そのため、薬液回収管Ｌ９の一端が殺菌剤タンク９に、他端が排水管Ｌ７に接続しており、薬液回収管Ｌ９には薬液回収電磁弁Ｖ５が設けられている。そして、排水管Ｌ７に設けた排水電磁弁Ｖ７が閉じ、薬液回収電磁弁Ｖ５が開いた状態で、排水回収ポンプＰ３が作動することによって、パイプ槽１内の殺菌剤が、排水管Ｌ７及び薬液回収管Ｌ９を通じて殺菌剤タンク９に回収される。
【００１９】
図２は、洗浄消毒行程のフロー図を示す。先ず、濯ぎ洗浄行程Ｓ１により使用後の内視鏡の簡単な洗浄を行った後、洗剤洗浄行程Ｓ２により内視鏡を強力に洗浄する。そして、先ず、バブルなしの濯ぎ洗浄行程Ｓ３を１回行い、続いてバブルありの濯ぎ洗浄行程Ｓ４を２回行うことにより、内視鏡に付着した洗剤を除去する。更に、殺菌剤浸漬行程Ｓ５を行うことにより、内視鏡を殺菌する。最後に、濯ぎ洗浄行程Ｓ６を３回行い、内視鏡に付着した殺菌剤を取り除く。
【００２０】
図３は、殺菌剤排出行程のフロー図を示す。前記したように、殺菌剤は回収して数回使用するが、殺菌効果が弱くなった殺菌剤は排出する。排出する際には、パイプ内投入行程Ｓ１０により殺菌剤が殺菌剤タンク９からパイプ槽１内に流れ、殺菌剤排出行程Ｓ１１によりパイプ槽１内から排出部に流れる。そして、濯ぎ洗浄行程Ｓ１２を３回行うことにより、パイプ槽１内に付着した殺菌剤を除去する。
【００２１】
図４は、装置の外観斜視図を示す。装置は、本体部ＢＰを備えており、この本体部ＢＰの正面には、パイプ槽１、上方タンク３、及び下方タンク５を具備している。本体部ＢＰ内には、殺菌剤タンク９、洗剤タンク１１、エアー送出部Ａ１，Ａ２等が装備されており、給水管Ｌ１及び排水管Ｌ７が、本体部ＢＰ背面を通じて接続している。
【００２２】
更に、本体部ＢＰの正面には、洗剤洗浄選択スイッチＳ１、殺菌剤浸漬選択スイッチＳ３、スタートスイッチＳ５、及び殺菌剤排出選択スイッチＳ７を設けている。各スイッチＳ１〜７は、各ポンプＰ１〜５、各電磁弁Ｖ１〜９、エアー送出部Ａ１，Ａ３等を制御する制御装置（図示略）と電気的に接続しており、図２及び３に示す行程Ｓ１〜１２を選択して行うことができる。即ち、選択スイッチＳ１を押し、スタートスイッチＳ５を押すことにより、Ｓ１〜４の行程を行い、選択スイッチＳ３を押し、スタートスイッチＳ５を押すことにより、Ｓ５及び６の行程を行う。選択スイッチＳ１及び３を押し、スタートスイッチＳ５を押すことにより、Ｓ１〜６の行程を行うこともできる。そして、殺菌剤排出選択スイッチＳ７を押し、スタートスイッチＳ５を押すことにより、Ｓ１０〜１２の行程を行う。制御装置に設けたタイマー回路が、各行程Ｓ１〜１２の行程時間を制御するものであり、内視鏡１００の汚れの程度によって、このタイマー回路を調節する。
【００２３】
図５は、第２実施例のバブル発生手段におけるモデル図を示す。本実施例においては、１つのエアー送出部Ａ１’が、バブル発生部１３に空気を送出する。そして、エアー送出部Ａ１’とバブル発生部１３とを、第１エアー供給管Ｌ１１が接続し、この第１エアー供給管Ｌ１１にはエアー電磁弁Ｖ１３及び第１エアー調整弁Ｖ１１’が設けられている。更に、エアー電磁弁Ｖ１３と第１エアー調整弁Ｖ１１’とを跨ぐように、第２エアー供給管Ｌ１１’が第１エアー供給管Ｌ１１に接続しており、第２エアー供給管Ｌ１１’には第２エアー調整弁Ｖ１１’’が設けられている。
【００２４】
第１エアー調整弁Ｖ１１’は大きいバブルが発生するよう調整され、第２エアー調整弁Ｖ１１’’は小さいバブルが発生するよう調整されている。そして、濯ぎ洗浄行程を行う際には、エアー電磁弁Ｖ１３が開き、空気が第１エアー調整弁Ｖ１１’を通じてバブル発生部１３に送られ、洗剤洗浄行程を行う際には、エアー電磁弁Ｖ１３が閉じ、空気が第２エアー調整弁Ｖ１１’’を通じてバブル発生部１３に送られる。
【００２５】
【発明の効果】
本発明は、以上説明した通り、鼻咽喉用内視鏡を１つのパイプで洗浄及び消毒できるので、水道水での濯ぎ洗いや、内視鏡を移し替える等の手間が不要であるため、迅速且つ簡単に洗浄及び消毒できる。又、内視鏡を洗浄する洗剤にバブルを発生させるため、洗浄効果が高い。更に、殺菌剤を回収する手段を備えることにより、複数回殺菌剤を使用でき、経済的にも環境的にも優れた効果を有する。更に又、パイプ槽内の溶液が完全に排水したことを認識する排水センサーを搭載して、このセンサーからの信号を感知することにより自動的に排水が停止するようにすることもできる。
【図面の簡単な説明】
【図１】本発明に係る鼻咽喉用内視鏡洗浄消毒装置の一実施例を示すモデル図である。
【図２】洗浄消毒行程を示すフロー図である。
【図３】殺菌剤排出行程を示すフロー図である。
【図４】鼻咽喉用内視鏡洗浄消毒装置の一実施例を示す外観斜視図である。
【図５】第２実施例のバブル発生手段を示すモデル図である。
【図１】
0003710440.tif 000002
【図２】
0003710440.tif 000003
【図３】
0003710440.tif 000004
【図４】
0003710440.tif 000005
【図５】
0003710440.tif 000006